(57)【要約】【課題】  防火性能を有するカーテンウォールの提供。【解決手段】  左右方向に並べて配置した複数のパネルユニット１，１，…を備え、パネルユニット１は、縦枠２を有し、縦枠２は、アルミ製枠材２ａと、アルミ製枠材２ａの室内側に設けたスチール製枠材２ｂを有し、アルミ製枠材２ａにガラス３が保持してあり、スチール製枠材２ｂに網入りガラス４又は網入りガラス４を入れたスチール製障子５が保持してある。【選択図】      図１
2020165168.tif 000002
【特許請求の範囲】
【請求項１】
左右方向に並べて配置した複数のパネルユニットを備え、パネルユニットは、縦枠を有し、縦枠は、アルミ製枠材と、アルミ製枠材の室内側に設けたスチール製枠材を有し、アルミ製枠材にガラスが保持してあり、スチール製枠材に網入りガラス又は網入りガラスを入れたスチール製障子が保持してあることを特徴とするカーテンウォール。
【発明の詳細な説明】
【技術分野】
【０００１】
本発明は、カーテンウォールに関する。
【背景技術】
【０００２】
従来より、アルミ製の方立と無目とからなる開口部にガラスを嵌め込んだカーテンウォールが知られている（例えば、非特許文献１参照。）。かかるカーテンウォールは、防火性能を有しておらず、防火性能を有するものが求められた。
【先行技術文献】
【非特許文献】
【０００３】
【非特許文献１】三協立山株式会社 三協アルミ社発行のカタログ「カーテンウォール 総合カタログ」（カタログＮｏ．ＳＴＢ０２６１Ｉ  ＹＰ．１５．０７−０３０）、２０１５年７月、ｐ．２６
【発明の概要】
【発明が解決しようとする課題】
【０００４】
本発明は以上に述べた実情に鑑み、防火性能を有するカーテンウォールの提供を目的とする。
【課題を解決するための手段】
【０００５】
上記の課題を達成するために請求項１記載の発明によるカーテンウォールは、左右方向に並べて配置した複数のパネルユニットを備え、パネルユニットは、縦枠を有し、縦枠は、アルミ製枠材と、アルミ製枠材の室内側に設けたスチール製枠材を有し、アルミ製枠材にガラスが保持してあり、スチール製枠材に網入りガラス又は網入りガラスを入れたスチール製障子が保持してあることを特徴とする。
【発明の効果】
【０００６】
請求項１記載の発明によるカーテンウォールは、左右方向に並べて配置した複数のパネルユニットを備え、パネルユニットは、縦枠を有し、縦枠は、アルミ製枠材と、アルミ製枠材の室内側に設けたスチール製枠材を有し、アルミ製枠材にガラスが保持してあり、スチール製枠材に網入りガラス又は網入りガラスを入れたスチール製障子が保持してあることで、防火性能を発揮できる。また、アルミ製枠材に保持したガラスとスチール製枠材に保持した網入りガラス又は網入りガラスを入れたスチール製障子との間に空気層が形成されることで、断熱性能及び遮音性能が向上する。
【図面の簡単な説明】
【０００７】
【図１】図５のＡ−Ａ断面図である。
【図２】図５のＢ−Ｂ断面図である。
【図３】図５のＣ−Ｃ断面図である。
【図４】図５のＤ−Ｄ断面図である。
【図５】本発明のカーテンウォールの第１実施形態を示す室外側正面図である。
【図６】第１実施形態のカーテンウォールにおいて、ビジョン部のパネルユニットの室内側にスチール製障子を設けた場合の例を示す縦断面図である。
【図７】第１実施形態のカーテンウォールにおいて、ビジョン部のパネルユニットの室内側にスチール製障子を設けた場合の例を示す横断面図である。
【図８】第１実施形態のカーテンウォールの施工手順を示す室外側正面図である。
【図９】第１実施形態のカーテンウォールの施工手順を示す横断面図である。
【図１０】第１実施形態のカーテンウォールのビジョン部のパネルユニットの取付け時の状態を示す縦断面図である。
【図１１】本発明のカーテンウォールの第２実施形態を示す室外側正面図である。
【図１２】図１１のＥ−Ｅ断面図である。
【図１３】図１１のＦ−Ｆ断面図である。
【図１４】図１１のＧ−Ｇ断面図である。
【図１５】第２実施形態のカーテンウォールの施工手順を示す室外側正面図である。
【図１６】第２実施形態のカーテンウォールの施工手順を示す横断面図である。
【発明を実施するための形態】
【０００８】
以下、本発明の実施の形態を図面に基づいて説明する。図１〜１０は、本発明のカーテンウォールの第１実施形態を示している。本カーテンウォールは、ビルの外壁を成すものであって、図５に示すように、ビル１階分にあたる層間部のうちの上部に設けたスパンドレル部６と、その下方に設けたビジョン部７とで構成されている。スパンドレル部６は、天井８から上の階の床９までの空間に対向しており、ビジョン部７は居住空間に対向している。
【０００９】
スパンドレル部６は、図３，４に示すように、スチール方立１０と、スチール方立１０に取付けたスパンドレルパネルユニット１１と、スパンドレルパネルユニット１１の室内側に設けた耐火ボード１２を有している。スチール方立１０は、スチールの角パイプで形成したものであり、図８（ａ）と図９（ａ）に示すように、床スラブ１３と、床スラブ１３を支持する梁１４とに金具１５で固定して、左右方向に間隔をおいて設けてある。スチール方立１０の上端部と下端部には、図４に示すように、スパンドレルパネルユニット１１を取付けるためのブラケット１６が設けてある。
【００１０】
スパンドレルパネルユニット１１は、図３，４に示すように、アルミ形材よるなる上枠１７と下枠１８と左右の縦枠１９，１９を四周枠組みし、その内側にガラス２０を嵌め込んで構成してある。上枠１７と下枠１８は、図４に示すように、室内側端部に外周側に向けて突出する突出部２１を有し、突出部２１には室内側が開口した溝２２を有し、当該溝２２内にボルト２３の頭を保持した裏板２４を挿入し、ボルト２３のネジ部をスチール方立１０の上下端部に設けたブラケット１６に挿通してナット掛けすることにより、スパンドレルパネルユニット１１がスチール方立１０に取付けられている。左右に隣接するスパンドレルパネルユニット１１間の隙間は、図３に示すように、室外側から湿式のシール材２５を充填して塞いである。
耐火ボード１２は、スパンドレルパネルユニット１１の枠１７，１８，１９の室内側に当接して左右のスチール方立１０間に設けられ、ガラス２０の室内側を覆っている。
【００１１】
このようにスパンドレル部６は、スパンドレルパネルユニット１１の室内側に設けたスチール方立１０と、スチール方立１０間に設けた耐火ボード１２により、防火性能を有するものとなっている。さらにスパンドレル部６は、室内側を耐火性の被覆材２６で被覆してある。
【００１２】
ビジョン部７は、図５に示すように、左右方向に並べて配置した複数のパネルユニット１，１，…で構成してある。パネルユニット１は、図１，２に示すように、上枠２７と下枠２８と左右の縦枠２，２を四周枠組みして構成した枠体を有しており、上枠２７と下枠２８と左右の縦枠２，２は、それぞれアルミ形材よりなるアルミ製枠材２７ａ，２８ｂ，２ａと、アルミ製枠材２７ａ，２７ｂ，２ａの室内側に設けたスチール製枠材２７ｂ，２８ｂ，２ｂを有している。そして、四周のアルミ製枠材２７ａ，２８ａ，２ａにガラス（複層ガラス）３を保持してあり、四周のスチール製枠材２７ｂ，２８ｂ，２ｂに網入りガラス４を保持してある。
パネルユニット１は、図２に示すように、上枠２７のアルミ製枠材２７ａの室内側端部に外周側に突出して設けた突片２９をスパンドレルパネルユニット１１の下枠１８にネジ３０で固定し、下枠２８のアルミ製枠材２８ａをスパンドレルパネルユニット１１の上枠１７上面に固定した支持具３１に支持してネジ３２で固定することで、上下のスパンドレルパネルユニット１１，１１間に取付けてある。パネルユニット１の上枠２７とスパンドレルパネルユニット１１の下枠１８間の隙間、及びパネルユニット１の下枠２８とスパンドレルパネルユニット１１の上枠１７間の隙間は、室外側から湿式のシール材３３を充填して塞いである。また、パネルユニット１の上枠２７のスチール製枠材２７ｂと耐火ボード１２間の隙間、及びパネルユニット１の下枠２８のスチール製枠材２８ｂと耐火ボード１２間の隙間は、耐火性の被覆材２６で被覆してある。
【００１３】
図１に示すように、パネルユニット１の縦枠２のスチール製枠材２ｂは、室内側端部に外周側に向けて突出する突片３４を有し、左右に隣接するパネルユニット１，１のスチール製枠材２ｂ，２ｂの突片３４同士を重合させてネジ３５で固定することで、左右に隣接するパネルユニット１，１間の隙間をスチール製枠材２ｂ，２ｂで塞いでいる。左右に隣接するパネルユニット１，１の縦枠２，２の室内側にはカバー３６が取付けてあり、カバー３６でスチール製枠材２ｂ，２ｂを室内側から覆っている。また、左右に隣接するパネルユニット１，１間の室外側の隙間は、室外側から湿式のシール材３７を充填して塞いである。
【００１４】
図６，７は、ビジョン部７の他の実施例を示している。本実施例では、パネルユニット１の室内側に設けた四周のスチール製枠材２７ｂ，２８ｂ，２ｂの内側に、網入りガラス４をスチール製の枠材３８で枠組みしてなるスチール製障子５が支持金具３９で支持して室内側に開くように設けてある。スチール製障子５を室内側に開くことで、ガラス３の室内側面と網入りガラス４の室外側面を掃除することができる。
【００１５】
このようにビジョン部７は、パネルユニット１の室内側にスチール製枠材２７ｂ，２８ｂ，２ｂを設け、スチール製枠材２７ｂ，２８ｂ，２ｂに網入りガラス４を保持するか、網入りガラス４を入れたスチール製障子５を保持したので、防火性能を有するものとなっている。
【００１６】
次に、本カーテンウォールの施工手順を説明する。まず、図８（ａ）と図９（ａ）に示すように、床スラブ１３と梁１４に固定してスチール方立１０，１０，…を取付ける。次に、図８（ｂ）と図９（ｂ）に示すように、スチール方立１０，１０間にスパンドレルパネルユニット１１，１１，…を取付ける。次に、図８（ｃ）と図９（ｃ）と図１０に示すように、上下のスパンドレルパネルユニット１１，１１間にパネルユニット１，１，…を取付ける。パネルユニット１は、アルミ製枠材２７ａ，２８ａ，２ａにスチール製枠材２７ｂ，２８ｂ，２ｂが工場であらかじめ取付けられている。アルミ製枠材２７ａ，２８ａ，２ａに保持するガラス３と、スチール製枠材２７ｂ，２８ｂ，２ｂに保持する網入りガラス４は、パネルユニット１を躯体に取付ける前にセットしておいてもよいし、パネルユニット１を躯体に取付けた後からセットすることもできる。その後、スパンドレルパネルユニット１１同士の隙間、パネルユニット１同士の隙間、スパンドレルパネルユニット１１とパネルユニット１間の隙間に室外側からシール材２５，３３，３７を充填してシールする。
【００１７】
図１１〜１６は、本発明のカーテンウォールの第２実施形態を示している。本実施形態は、建物の屋外側に足場を設置しなくても施工できるように、室外側からのシール作業を不要としたものである。
第１実施形態と異なる点について説明すると、スパンドレルパネルユニット１１は、図１１に示すように、ビジョン部７のパネルユニット１の２つ分の横幅を有しており、上枠１７と下枠１８と左右の縦枠１９，１９と中間縦枠４０を有し、左右の縦枠１９，１９と中間縦枠４０の間の２箇所の開口部にガラス２０を嵌め込んである。図１４に示すように、スチール方立１０の室外側面には、コ字形断面の取付材４１が取付けてあり、取付材４１にスパンドレルパネルユニット１１の左右の縦枠１９，１９及び中間縦枠４０が側方からのネジ４２で固定してある。
室外側から見て左側の縦枠１９は凹溝４３を有し、室外側から見て右側の縦枠１９は一対の外向き突片４４ａ，４４ｂよりなる突部４４を有し、左右に隣接するスパンドレルパネルユニット１１，１１の縦枠１９，１９が凹溝４３と突部４４で嵌合させてある。室外側の外向き突片４４ａの先端部にはレインバリアガスケット４５が室外側に向けて取付けてあり、室内側の外向き突片４４ｂの先端部にはウインドバリアガスケット４６が室内側に向けて取付けてあり、両ガスケット４５，４６が凹溝４３の室外側及び室内側の壁に当接している。室内側の外向き突片４４ｂの室内側の縦枠１９，１９間の隙間は、室内側から湿式のシール材４７を充填して塞いである。また、室外側の外向き突片４４ａより室外側の縦枠１９，１９間の隙間は、左右の縦枠１９，１９の見込面にそれぞれ取付けた乾式のシール材４８により塞いである。
【００１８】
ビジョン部７は、第１実施形態と同様に、左右方向に並べて配置した複数のパネルユニット１，１，…により構成され、図１２に示すように、左右に隣接するパネルユニット１，１の縦枠２，２のアルミ製枠材２ａ，２ａ間の隙間は、室外側が乾式のシール材４９により塞がれ、室内側が室内側から充填した湿式のシール材５０により塞がれている。縦枠２のスチール製枠材２ｂは、シール材５０を室内側から充填できるように、第１実施形態のような外周向きの突片３４を有しないものとなっており、隣接するスチール製枠材２ｂ，２ｂ間の隙間をスチール製のカバー５１で覆っている。
【００１９】
ビジョン部７のパネルユニット１は、図１３に示すように、上枠２７と下枠２８の室内側面にボルト５２の頭を保持できる溝５３が形成してあり、当該溝５３に保持したボルト５２のネジ部をスチール方立１０の上下端部に設けたブラケット１６に挿通してナット掛けすることで、上下のスパンドレルパネルユニット１１，１１間に取付けてある。パネルユニット１の上枠２７とスパンドレルパネルユニット１１の下枠１８間の隙間は、室外側が乾式のシール材５４で塞いであり、室内側が室内側から充填した湿式のシール材５５で塞いである。パネルユニット１の下枠２８とスパンドレルユニット１１の上枠２７間の隙間も同様に、室外側が乾式のシール材５４で塞いであり、室内側が室内側から充填した湿式のシール材５５で塞いである。
【００２０】
次に、第２実施形態のカーテンウォールの施工手順を説明する。まず、図１５（ａ）に示すように、スパンドレルパネルユニット１１にあらかじめスチール方立１０を取付け（最初に取付けるスパンドレルパネルユニット１１は両側に、他は片側に取付ける）、スチール方立１０を床スラブ１３と梁１４に金具１５で固定することにより、スパンドレルパネルユニット１１を躯体に取付ける。その際、図１６（ａ）に示すように、隣接するスパンドレルパネルユニット１１の縦枠１９同士を凹溝４３と突部４４で嵌合させる。次に、図１５（ｂ）と図１６（ｂ）に示すように、上下のスパンドレルパネルユニット１１，１１間にパネルユニット１を取付ける。その後、スパンドレルパネルユニット１１同士の隙間、パネルユニッ１ト同士の隙間、スパンドレルパネルユニット１１とパネルユニット１間の隙間に室内側からシール材４７，５０，５５を充填してシールする。
【００２１】
以上に述べたように本カーテンウォール（第１及び第２実施形態）は、左右方向に並べて配置した複数のパネルユニット１，１，…を備え、パネルユニット１は、縦枠２を有し、縦枠２は、アルミ製枠２ａと、アルミ製枠材２ａの室内側に設けたスチール製枠材２ｂを有し、アルミ製枠材２ａにガラス３が保持してあり、スチール製枠材２ｂに網入りガラス４又は網入りガラス４を入れたスチール製障子５が保持してあることで、防火性能を発揮できる。また、アルミ製枠材２ａに保持したガラス３とスチール製枠材２ｂに保持した網入りガラス４又は網入りガラス４を入れたスチール製障子５との間に空気層が形成されることで、断熱性能及び遮音性能が向上する。
さらに本カーテンウォール（第１実施形態）は、隣接するパネルユニット１，１間の隙間をスチール製枠材２ｂ，２ｂで塞いであるため、隣接するパネルユニット１，１の縦枠２，２間を炎が連通することを確実に防ぐことができ、防火性能が向上する。
また、本カーテンウォール（第１実施形態）は、層間部の上部に設けたスパンドレルパネルユニット１１を有し、スパンドレルパネルユニット１１は、床スラブ１３と梁１４に支持したスチール方立１０に取付けてあり、パネルユニット１は、上部がスパンドレルパネルユニット１１の下部に取付けてあり、下部が下層のスパンドレルパネルユニット１１の上部に取付けてあるので、防火性能を確保しながら施工性を向上できる。
また、本カーテンウォール（第２実施形態）は、隣接するパネルユニット１，１間の隙間の室外側を乾式のシール材４９で塞いであり、隙間の室内側を湿式のシール材５０で塞いであり、湿式のシール材５０によるシール部の室内側をスチール製のカバー５１で覆ったことで、室外側からのシール作業が不要なため、建物の室外側に足場を設けずに施工することができ、工期の短縮、コストの削減ができる。
本カーテンウォール（第１及び第２実施形態）は、通常、層間部の全長に亘って設けられるアルミ製の方立を無くし、スパンドレル部６にだけスチール方立１０を設け、ビジョン部７には方立が無い代わりに縦枠２の室内側にスチール製枠材２ｂを設けることで強度を確保したので、防火性能を有するカーテンウォールを低コストで形成することができる。
パネルユニット１にスチール製枠材２７ｂ，２８ｂ，２ｂをあらかじめセットしておくことで、施工性が向上する。
【００２２】
本発明は以上に述べた実施形態に限定されない。アルミ製枠材及びスチール製枠材の断面形状は、適宜変更することができる。スチール製枠材は、アルミ製枠材の室内側に設けてあればよく、その取付け方は問わない。本発明のカーテンウォールは、スパンドレル部を有しないもの（ビジョン部だけのもの）であってもよい。
【符号の説明】
【００２３】
１  パネルユニット
２  縦枠
２ａ  アルミ製枠材
２ｂ  スチール製枠材
３  ガラス
４  網入りガラス
５  スチール製障子
【図１】
2020165168.tif 000003
【図２】
2020165168.tif 000004
【図３】
2020165168.tif 000005
【図４】
2020165168.tif 000006
【図５】
2020165168.tif 000007
【図６】
2020165168.tif 000008
【図７】
2020165168.tif 000009
【図８】
2020165168.tif 000010
【図９】
2020165168.tif 000011
【図１０】
2020165168.tif 000012
【図１１】
2020165168.tif 000013
【図１２】
2020165168.tif 000014
【図１３】
2020165168.tif 000015
【図１４】
2020165168.tif 000016
【図１５】
2020165168.tif 000017
【図１６】
2020165168.tif 000018